(57)【要約】【課題】本発明においては円筒形の撮像装置構成要素であるメインコンデンサ及び電池の効率的な配置により撮像装置小型化を行うことを目的とする。【解決手段】電池１４はそれぞれカメラ本体１に対して鉛直に並設され、電池１４ａ、１４ｃは電池プラス端子をカメラ上方に電池１４ｂ、１４ｃは電池プラス端子を下方に向けて保持される。メインコンデンサ端子１６ａ、１６ｂ、電池１４の上下には電池端子１５、１９が配置され電池１４上部の電源基板１７へと接続される。メインコンデンサ１６は電池１４に平行に保持されている。ストロボ基板１８はメインコンデンサ１６上方に配置されている。メインコンデンサ１６は円筒形で電池１４と径がほぼ等しく、長さは電池１４より短い仕様になっている。メインコンデンサ１６の方が電池１４よりも長さが短くなり並設した際にメインコンデンサ１６上部に空間ができる。その空間にストロボ基板１８を設置することにより空いたスペースを有効に利用することができる。【選択図】      図１
2006276664.tif 000002
【特許請求の範囲】
【請求項１】
ストロボメインコンデンサを有する撮像装置において、円筒形電池に平行してメインコンデンサが配置され、メインコンデンサ上部にストロボ基板が配置されることを特徴とする撮像装置。
【請求項２】
前記メインコンデンサが平行に配置された複数の円筒形電池の少なくとも一つにほぼ接するように配置されることを特徴とする請求項１記載の撮像装置。
【請求項３】
前記ストロボ基板が前記メインコンの軸に対して直行して配置され、前記メインコンデンサの端子が前記ストロボ基板に直接半田付けされることを特徴とする請求項１又は２記載の撮像装置。
【請求項４】
前記電池を利用してストロボ基板に電源を供給する電源基板が前記電池及びストロボ基板の上方に前記ストロボ基板に平行に配置されることを特徴とする請求項１、２、３いずれか記載の撮像装置。
【請求項５】
前記電池の高さが前記メインコンデンサと前記ストロボ基板をあわせた高さとほぼ等しくなることを特徴とする請求項１から４いずれか記載の撮像装置。
【請求項６】
ストロボメインコンデンサを有する撮像装置において、円筒形電池に平行してメインコンデンサが配置され、メインコンデンサ下部に三脚座が配置されることを特徴とする請求項１から５いずれか記載の撮像装置。
【請求項７】
三脚座が平行に配置される２つの円筒形電池の間にほぼ接するように配置されることを特徴とする前記請求項１から６いずれか記載の撮像装置。
【請求項８】
前記メインコンデンサが三脚座によって保持されることを特徴とする請求項１から７いずれか記載の撮像装置。
【請求項９】
前記電池の高さが前記メインコンデンサと前記ストロボ基板及び前記三脚座をあわせた高さとほぼ等しくなることを特徴とする請求項１から４及び６から７いずれか記載の撮像装置。
【発明の詳細な説明】
【技術分野】
【０００１】
本発明は撮像装置に関し、ストロボを有する撮像装置を小型化するための電池及びストロボメインコンの配置に関するものである。
【背景技術】
【０００２】
現在多くの撮像装置にはストロボが内蔵されており、ストロボ発光のためにストロボメインコン及びストロボ基板が設けられている。ストロボの電源には乾電池が多く用いられ、液晶ディスプレイの使用等で消費電力が大きくなったデジタルカメラにおいては、電池の持続時間を延ばすために複数の単３乾電池が使用されている。特にデジタルカメラにおいては液晶ディスプレイや画像処理等に大きな電力が必要なため、フイルムカメラより電池の本数が多い。
【０００３】
ストロボ発光は被写体との距離が遠い場合には光量を上げる必要があるため、被写体の比較的遠くなる高倍率のレンズを有する撮像装置には大きな容量のメインコンデンサが使用されている。さらに撮像装置の小型化が進むにつれ撮像装置本体に占める電池やメインコンデンサの割合が大きくなっている。そのため、撮像装置本体の小型化を行うためには電池やメインコンデンサを効率よく配置することが重要となっている。
【０００４】
そこでレンズ及びファインダをカメラ正面から見て右側に配置し、電池を正面から見て左側に配置し、レンズ及びファインダと電池との間に軸を鉛直にしてメインコンデンサを配設し、メインコンデンサ上方にストロボ、下方に電動バリアモータユニットを配置することで正面の投影面積を少なくするレイアウトがあげられている（例えば、特許文献１参照。）。
【特許文献１】特開２００４−４５８２０号公報
【発明の開示】
【発明が解決しようとする課題】
【０００５】
しかしながら、上記従来例では正面からの投影面積ついてのみしか言及していない。
【０００６】
そこで本発明においては円筒形の撮像装置構成要素であるメインコンデンサ及び電池の効率的な配置により撮像装置小型化を行うことを目的とする。
【課題を解決するための手段】
【０００７】
本発明の請求項１に係る発明によればストロボメインコンデンサを有する撮像装置において、円筒形電池に平行してメインコンデンサが配置され、メインコンデンサ上部にストロボ基板が配置されることを特徴とする。
【０００８】
本発明の請求項２に係る発明によればメインコンデンサが平行に配置された複数の円筒形電池の少なくとも一つにほぼ接するように配置されることを特徴とする。
【０００９】
本発明の請求項３に係る発明によれば前記ストロボ基板が前記メインコンの軸に対して直行して配置され、前記メインコンデンサの端子が前記ストロボ基板に直接半田付けされることを特徴とする。
【００１０】
本発明の請求項４に係る発明によれば前記電池を利用してストロボ基板に電源を供給する電源基板が前記電池及びストロボ基板の上方に前記ストロボ基板に平行に配置されることを特徴とする特徴とする。
【００１１】
本発明の請求項５に係る発明によれば電池の高さが前記メインコンデンサと前記ストロボ基板をあわせた高さとほぼ等しくなることを特徴とする。
【００１２】
本発明の請求項６に係る発明によればストロボメインコンデンサを有する撮像装置において、円筒形電池に平行してメインコンデンサが配置され、メインコンデンサ下部に三脚座が配置されることを特徴とする。
【００１３】
本発明の請求項７に係る発明によれば前記メインコンデンサが平行に配置される２つの円筒形電池の間にほぼ接するように配置されることを特徴とする。
【００１４】
本発明の請求項８に係る発明によれば前記メインコンデンサが三脚座によって保持されることを特徴とする。
【００１５】
本発明の請求項９に係る発明によれば前記電池の高さが前記メインコンデンサと前記ストロボ基板及び前記三脚座をあわせた高さとほぼ等しくなることを特徴とする。
【発明の効果】
【００１６】
以上説明したように、本発明によれば、円筒形の撮像装置構成要素であるメインコンデンサ及び電池の効率的な配置により撮像装置小型化を行うことができる。
【００１７】
またメインコンデンサ、電池、ストロボ基板が近くに配置されるため電気的損失を減少させることが可能となる。また三脚座とメインコンデンサの保持部材を一体とすることにより、部品点数が削減できコストダウンを行うことができる。
【発明を実施するための最良の形態】
【００１８】
以下本発明における実施例を示す。
【実施例１】
【００１９】
本実施の形態においてはデジタルカメラに適用して説明するが、フイルムカメラ、ビデオカメラ等のストロボを有するカメラでもよい。
【００２０】
図５は本発明に係るカメラの概観図である。図５に示すように１はカメラ本体であり、２は鏡筒、３はシャッターボタン、４はモードダイアル、５は電源ボタン、６はカメラグリップ部、グリップ内部に電池が収納されている。７にＡＦ補助光、８はズームレバー、９はストロボ発光部を示している。本カメラではポップアップ式のストロボであり、ストロボ光が鏡筒によりけられるのを防止している。
【００２１】
図６にカメラの背面斜視図を示す。１０はファインダ、１１は操作ボタン、１２は液晶ディスプレイである。その他の構成部品に関しては省略してある。１４の液晶ディスプレイには撮影画像の表示に加えてフラッシュのモード表示や通常撮影・マクロなど撮影モードの表示がされ、現在の設定がわかるようになっている。
【００２２】
カメラの基本的な動作について説明する。電源ボタン５を押してカメラの電源を入れシャッターボタン３を半押しするとＡＦ制御・測距及び測光が行われる。１３のレンズ、不図示のシャッター、絞り、フォーカスレンズ、ＣＣＤからなる撮像部で得られた画像信号がエンジンにより処理される。処理により得られた画像のコントラストが最大となるようにフォーカスレンズを駆動させ、コントラストがピークに達した位置をピント合致点と判断する。フォーカスが合った時点での焦点距離からカメラと被写体との距離情報が得られる。ＡＦ制御を行う際にはＡＦ補助光７を発光させる。
【００２３】
撮像部で得られた被写体の輝度情報によりストロボ発光が必要と判断された場合は被写体との距離、被写体の輝度によりストロボの照射輝度、絞り値、露出、ホワイトバランスが設定される。その後シャッターボタン３を全押しすると設定された条件によりストロボ撮影が行われる。
【００２４】
図１にカメラの前カバー、鏡筒２等を省略した正面図を、図２に正面斜視図を示す。１４ａ、１４ｂ、１４ｃ、１４ｄは電池、１５、１９は電池端子、１５ａ、１５ｂは電池端子の基板との接続部、１６はストロボメインコンデンサ、１６ａはメインコンデンサのプラス端子、１６ｂはメインコンデンサのマイナス端子を示している。１７は電源基板、１８はストロボのトリガ回路が実装されたストロボ基板である。２０はシャーシであり、カメラ構成要素の多くはシャーシ２０にビス止めにより保持される。２１は電池蓋、２２は三脚座である。電池１４には単３電池４本を用いておりカメラグリップ６内の電池箱に収納される。電池１４はそれぞれカメラ本体１に対して鉛直に並設され、電池１４ａ、１４ｃは電池プラス端子をカメラ上方に電池１４ｂ、１４ｃは電池プラス端子を下方に向けて保持される。
【００２５】
メインコンデンサ端子１６ａ、１６ｂ、電池１４の上下には電池端子１５、１９が配置され電池１４上部の電源基板１７へと接続される。電源基板１７はカメラ駆動で必要な電圧を作り出している。ストロボで使用される電源はそのまま変圧されずに電源基板１７からストロボ基板１８へと送られる。ストロボメインコンデンサ１６はストロボ発光する際に必要な電気が蓄積される。メインコンデンサ１６は電池１４に平行に保持されている。ストロボ基板１８はメインコンデンサ１６上方に配置されている。メインコンデンサ１６は円筒形で電池１４と径がほぼ等しく、長さは電池１４より短い仕様になっている。メインコンデンサ１６の容量は２２０μＦでカメラで使用するメインコンデンサ１６の中では容量が大きいものである。同じ容量でも径と長さを選択可能であるが、メインコンデンサ１６の径を極度に細くしない限りはメインコンデンサ１６の方が電池１４よりも長さが短くなり並設した際にメインコンデンサ１６上部に空間ができる。その空間にストロボ基板１８を設置することにより空いたスペースを有効に利用することができる。またストロボ基板１８は鏡筒の側面に位置することになるため、鏡筒２の斜め上方の空間を利用して基板を大きくできるほか、ストロボ基板１８で用いられるトランスなどの大型実装部品を実装することができる。
【００２６】
メインコンデンサ１６とストロボ基板１８の接続は、メインコンデンサ１６のプラス端子１６ａとマイナス両端子１６ｂをストロボ基板１８に直接半田付けすることによって行われる。ストロボ基板１８側にはメインコンデンサ端子１６ａ、１６ｂと同じピッチでスルーホールが設けられ、メインコンデンサ端子１６ａ、１６ｂをスルーホールに通して半田付けされる。これによりメインコンデンサ１６とストロボ基板１８の電気的な経路を短くできるため電気的ロスを最小限にすることができる。
【００２７】
電池１４上方には電源基板１７が配置される。電池１６の高さがメインコンデンサ１６とストロボ基板１８をあわせた高さとほぼ等しくなるようにメインコンデンサ１６の長さを設定することにより、電池１４及びストロボ基板１８の上方にストロボ基板１８に平行に電源基板１７が配置することができ、電源基板１７とストロボ基板１８の間に無駄なスペースが生じることがない。
【００２８】
ここでメインコンデンサ１６を長くすると径を小さくできるためカメラ本体の幅を減少させることができる。メインコンデンサ電池端子１５ａ、１５ｂが電源基板１７に半田付けされることにより接続される。ストロボの電源はこの電源基板１７を通して供給される。このレイアウトではストロボ発光に必要な電池１４、メインコンデンサ１６、電源基板１７、ストロボ基板１８が近くに配置されるため、電気的効率がよい。電源基板１７とストロボ基板１８は同じシャーシ２０にビス止めされ接地される。
【００２９】
図３にカメラ上面図を示す。電池１４とメインコンデンサ１６の配置の別の例を示している。電源基板１７、ストロボ基板１８等は省略している。電池１４とメインコンデンサ１７が円筒形であることを利用し、それぞれの外形がほぼ接するように平行に並べることにより無駄なく配置することができる。カメラ本体１の形状に合わせて、横幅や厚さを減少させる配置が可能となる。
【実施例２】
【００３０】
図４は本発明に係る第２の実施形態を示す上面斜視図である。２３は三脚座を示している。実施例１と同じくメインコンデンサ１６と電池１４を並設させておりメインコンデンサ１６上部にストロボ基板１８を配置している。第２の実施の形態においてはメインコンデンサ１６の下部に三脚座２３が配置されている。三脚座２３はシャーシ２０に固定される。三脚座２３の底面には雌ネジが切ってあり、カメラの三脚撮影を行う際に三脚がネジにより固定される。三脚座２３上面には円形の溝が設けられ、メインコンデンサ１６が差し込まれる。三脚座には雌ネジが切ってあるため固定部以外は円筒形状になる。
【００３１】
そのため電池１４とメインコンデンサ１６を近接して配置することができる。また三脚座２３によりメインコンデンサ１６が保持されるため、別部材でメインコンデンサを１６を保持する必要がなくなり、部品点数の削減が可能となる。また三脚座２３をメインコンデンサ１６の下部に配置することで効率よくスペースを利用できるためカメラ本体の小型化が可能である。電池１６の高さがメインコンデンサ１６とストロボ基板１８及び三脚座２３のそれぞれの高さをあわせた高さとほぼ等しくなるようにメインコンデンサの長さを設定することにより、電池１４及びストロボ基板１８の上方にストロボ基板１８に平行に電源基板１７が配置することができ、効率よくスペースを利用できる。
【図面の簡単な説明】
【００３２】
【図１】第１の実施形態におけるカメラの分解正面図である。
【図２】第１の実施形態におけるカメラの分解正面斜視図である。
【図３】第１の実施形態におけるカメラの分解上面図である。
【図４】第２の実施形態におけるカメラの分解正面斜視図である。
【図５】第１、２の実施形態におけるカメラの外観正面斜視図である。
【図６】第１、２の実施形態におけるカメラの外観背面斜視図である。
【符号の説明】
【００３３】
１  カメラ本体
９  ストロボ発光部
１３  鏡筒
１４  電池
１５  電池端子
１６  メインコンデンサ
１７  電源基板
１８  ストロボ基板
２０  シャーシ
２２，２３  三脚座
【図１】
2006276664.tif 000003
【図２】
2006276664.tif 000004
【図３】
2006276664.tif 000005
【図４】
2006276664.tif 000006
【図５】
2006276664.tif 000007
【図６】
2006276664.tif 000008